(57)【要約】【課題】遅延プロファイルにおける相関値の分散度に起因するプリアンブルの誤検出を減少させること。【解決手段】遅延プロファイル生成部１０３は、遅延プロファイルを生成し相関値をプリアンブル検出判定部１０６に与える。相関値分散度算出部１０４は、遅延プロファイルにおける相関値の平均値に対する相関値の分散度を示す相関値分散度を算出して閾値算出部１０５に与える。閾値算出部１０５は、相関値分散度を基にプリアンブル信号の受信の有無を判定する閾値を算出する。プリアンブル検出判定部１０６は、遅延プロファイルにおける候補パス（プリアンブル検出においてプリアンブルパスの候補となるパス）の相関値が閾値以上である時はプリアンブル信号を受信したと判定し、相関値が閾値未満である時はプリアンブル信号を受信していないと判定する。【選択図】      図１
2004356725.tif 000002
【特許請求の範囲】
【請求項１】
プリアンブル受信信号の遅延プロファイルにおける候補パスの相関値と閾値を用いてプリアンブル信号を受信したか否かを判定するランダムアクセス信号受信装置であって、
前記遅延プロファイルから相関値の平均値に対する分散度を示す相関値分散度を算出する相関値分散度算出手段と、
前記相関値分散度から前記閾値を算出する閾値算出手段と、
を具備することを特徴とするランダムアクセス信号受信装置。
【請求項２】
プリアンブル受信信号の合成遅延プロファイルにおける候補パスの相関値と閾値を用いてプリアンブル信号を受信したか否かを判定するランダムアクセス信号受信装置であって、
複数の受信部におけるプリアンブル受信信号を基に生成する複数の遅延プロファイルを合成して前記合成遅延プロファイルを生成する遅延プロファイル合成手段と、
前記合成遅延プロファイルから相関値の平均値に対する分散度を示す相関値分散度を算出する相関値分散度算出手段と、
前記相関値分散度から前記閾値を算出する閾値算出手段と、
を具備することを特徴とするランダムアクセス信号受信装置。
【請求項３】
プリアンブル受信信号の遅延プロファイルに基づいてＲＡＫＥ合成し、ＲＡＫＥ合成後の候補パスの相関値と閾値を用いてプリアンブル信号を受信したか否かを判定するランダムアクセス信号受信装置であって、
前記遅延プロファイルから相関値の平均値に対する分散度を示す相関値分散度を算出する相関値分散度算出手段と、
前記相関値分散度から前記閾値を算出する閾値算出手段と、
を具備することを特徴とするランダムアクセス信号受信装置。
【請求項４】
プリアンブル受信信号の遅延プロファイルに基づいて閾値を用いて特定した候補パスをＲＡＫＥ合成し、ＲＡＫＥ合成後の前記候補パスの相関値と他の閾値を用いてプリアンブル信号を受信したか否かを判定するランダムアクセス信号受信装置であって、
前記遅延プロファイルから相関値の平均値に対する分散度を示す相関値分散度を算出する相関値分散度算出手段と、
前記相関値分散度から前記ＲＡＫＥ合成の候補パスを特定するための前記閾値を算出する閾値算出手段と、
を具備することを特徴とするランダムアクセス信号受信装置。
【請求項５】
プリアンブル受信信号の合成遅延プロファイルに基づいてＲＡＫＥ合成し、ＲＡＫＥ合成後の候補パスの相関値と閾値を用いてプリアンブル信号を受信したか否かを判定するランダムアクセス信号受信装置であって、
複数の受信部におけるプリアンブル受信信号を基に生成する複数の遅延プロファイルを合成して前記合成遅延プロファイルを生成する遅延プロファイル合成手段と、
前記合成遅延プロファイルから相関値の平均値に対する分散度を示す相関値分散度を算出する相関値分散度算出手段と、
前記相関値分散度から前記閾値を算出する閾値算出手段と、
を具備することを特徴とするランダムアクセス信号受信装置。
【請求項６】
プリアンブル受信信号の合成遅延プロファイルに基づいて閾値を用いて特定した候補パスをＲＡＫＥ合成し、ＲＡＫＥ合成後の前記候補パスの相関値と他の閾値を用いてプリアンブル信号を受信したか否かを判定するランダムアクセス信号受信装置であって、
複数の受信部におけるプリアンブル受信信号を基に生成する複数の遅延プロファイルを合成して前記合成遅延プロファイルを生成する遅延プロファイル合成手段と、
前記合成遅延プロファイルから相関値の平均値に対する分散度を示す相関値分散度を算出する相関値分散度算出手段と、
前記相関値分散度から前記ＲＡＫＥ合成する候補パスを特定するための前記閾値を算出する閾値算出手段と、
を具備することを特徴とするランダムアクセス信号受信装置。
【請求項７】
前記閾値算出手段は、前記ＲＡＫＥ合成する候補パスを特定するための前記閾値及びプリアンブル信号を受信したか否かを判定するための前記他の閾値を算出することを特徴とする請求項４又は請求項６記載のランダムアクセス信号受信装置。
【請求項８】
プリアンブル受信信号の遅延プロファイルにおける候補パスの相関値と閾値を用いてプリアンブル信号を受信したか否かを判定するランダムアクセス信号受信装置におけるランダムアクセス信号受信方法であって、
前記遅延プロファイルから相関値の平均値に対する分散度を示す相関値分散度を算出するステップと、
前記相関値分散度から前記閾値を算出するステップと、を具備することを特徴とするランダムアクセス信号受信方法。
【発明の詳細な説明】
【０００１】
【発明の属する技術分野】
本発明は、ランダムアクセス信号受信装置及びランダムアクセス信号受信方法に関する。
【０００２】
【従来の技術】
従来のランダムアクセス信号受信装置として、特許文献１に記載されているものがある。このランダムアクセス信号受信装置は、送信されるプリアンブル信号を受信するに際して、前記プリアンブル信号の相関値対ノイズ相関値比を測定する測定手段と、前記プリアンブル信号の受信の有無を判定する閾値と前記信号相関値対ノイズ相関値比を比較する比較手段と、前記比較手段により測定したプリアンブル信号の相関値対ノイズ相関値比が前記閾値以上であると判定された時には、前記プリアンブル信号を受信したと判断し、他方、前記閾値未満であると判定された場合には、前記プリアンブル信号を受信していないと判断する制御手段と、を具備したものである。
【０００３】
【特許文献１】特開２００１−２０４０７２号公報
【０００４】
【発明が解決しようとする課題】
しかしながら、従来のランダムアクセス信号受信装置においては、プリアンブル信号の受信の有無を判定するための閾値が固定値であり、プリアンブル受信性能を維持するために閾値を低く設定した場合、遅延プロファイルにおけるノイズの相関値の平均値に対するノイズの相関値の分散度が大きくなるとプリアンブル信号を受信していない時であってもノイズの相関値が閾値を越えてプリアンブル信号を受信したと判定（誤検出）してしまうという問題がある。
【０００５】
また、プリアンブル誤検出を抑えるために閾値を高く設定した場合、プリアンブルを見逃す（未検出）確率が高くなり、プリアンブル受信性能が劣化してしまうという問題がある。
【０００６】
図１１、図１２、図１３の（ａ）と（ｂ）及び図１４の（ａ）と（ｂ）を参照して、従来の問題点を具体的に説明する。
【０００７】
図１１には、プリアンブル信号がなく相関値分散度が小さい場合の遅延プロファイルを示している。図１１にはプリアンブル信号がなく相関値分散度が大きい場合の遅延プロファイルを示している。
【０００８】
図１１に示すように、遅延プロファイルにおける相関値分散度が小さい場合は、ノイズの相関値がプリアンブル信号検出判定のための閾値ＴＨ１１０２を越えないので、誤検出しない。
【０００９】
図１２に示すように、遅延プロファイルにおける相関値分散度が大きい場合は、ノイズの相関値がプリアンブル信号検出判定のための閾値ＴＨ１２０２を越えるため、誤検出してしまう。
【００１０】
次に、ＲＡＫＥ合成を行う場合の問題点について説明する。
【００１１】
図１３（ａ）には相関値分散度が小さい場合の遅延プロファイルを示している。図１４（ａ）には相関値分散度が大きい場合の遅延プロファイルを示している。図１３（ａ）に記載の閾値ＴＨ１３０２及び図１４（ａ）に記載の閾値ＴＨ１４０２は、ＲＡＫＥ合成する位相を特定するためのものである。図１３（ｂ）は、ＲＡＫＥ合成後の相関値とプリアンブル信号の検出判定に用いる閾値ＴＨ１３０３との関係を遅延プロファイルの上に表したものである。図１４（ｂ）は、ＲＡＫＥ合成後の相関値とプリアンブル信号の検出判定に用いる閾値ＴＨ１４０３との関係を遅延プロファイルの上に表したものである。図１３（ｂ）に記載の閾値ＴＨ１３０３及び図１４（ｂ）に記載の閾値ＴＨ１４０３は、プリアンブル検出判定のためのものである。ここで、図１３及び図１４は、すべてプリアンブル信号を受信しておらずノイズのみを受信している状態の遅延プロファイルであるとする。
【００１２】
図１３（ａ）の遅延プロファイルにおいては、一つの位相におけるノイズの相関値がＲＡＫＥ合成の対象を判定する閾値ＴＨ１３０２を越えている。この場合、ＲＡＫＥ合成の対象が一つのためＲＡＫＥ合成しても相関値は変わらない。そうすると、ＲＡＫＥ合成後のノイズの相関値は、図１３（ｂ）に示すようにプリアンブル検出判定のための閾値ＴＨ１３０３を越えないためプリアンブル信号を受信していないという正しい判定となり誤検出は起こらない。
【００１３】
図１４（ａ）の遅延プロファイルにおいては、二つの位相におけるノイズの相関値がＲＡＫＥ合成の対象を判定する閾値ＴＨ１４０２を越えている。図１４（ｂ）に示すようにＲＡＫＥ合成を行うとＲＡＫＥ合成後の相関値が、プリアンブル信号検出判定のための閾値ＴＨ１４０３を越えてしまいプリアンブル信号を受信していないにもかかわらず受信したという誤った判定となり、誤検出してしまう。
【００１４】
本発明は、かかる点に鑑みてなされたものであり、遅延プロファイルにおける相関値の分散度に起因するプリアンブル信号の誤検出を減少させることができるランダムアクセス信号受信装置及びランダムアクセス信号受信方法を提供することを目的とする。
【００１５】
【課題を解決するための手段】
請求項１に係るランダムアクセス信号受信装置は、プリアンブル受信信号の遅延プロファイルにおける候補パスの相関値と閾値を用いてプリアンブル信号を受信したか否かを判定するランダムアクセス信号受信装置であって、前記遅延プロファイルから相関値の平均値に対する分散度を示す相関値分散度を算出する相関値分散度算出手段と、前記相関値分散度から前記閾値を算出する閾値算出手段と、を具備する構成を採る。ここで、候補パスとは、プリアンブル検出においてプリアンブルパスの候補となるパスを意味する。
【００１６】
この構成によれば、遅延プロファイルにおける相関値の分散を基に閾値を変動させるため、遅延プロファイルにおける相関値の分散度に起因する誤検出を減少させることができる。
【００１７】
請求項２に係るランダムアクセス信号受信装置は、プリアンブル受信信号の合成遅延プロファイルにおける候補パスの相関値と閾値を用いてプリアンブル信号を受信したか否かを判定するランダムアクセス信号受信装置であって、複数の受信部におけるプリアンブル受信信号を基に生成する複数の遅延プロファイルを合成して前記合成遅延プロファイルを生成する遅延プロファイル合成手段と、前記合成遅延プロファイルから相関値の平均値に対する分散度を示す相関値分散度を算出する相関値分散度算出手段と、前記相関値分散度から前記閾値を算出する閾値算出手段と、を具備する構成を採る。
【００１８】
この構成によれば、空間ダイバーシチ受信時に遅延プロファイルを合成する際のノイズ平均化効果の度合いによらず、合成遅延プロファイルにおける相関値の分散を基に閾値を変動させるため、合成遅延プロファイルにおける相関値の分散度に起因する誤検出を減少させることができる。
【００１９】
請求項３に係るランダムアクセス信号受信装置は、プリアンブル受信信号の遅延プロファイルに基づいてＲＡＫＥ合成し、ＲＡＫＥ合成後の候補パスの相関値と閾値を用いてプリアンブル信号を受信したか否かを判定するランダムアクセス信号受信装置であって、前記遅延プロファイルから相関値の平均値に対する分散度を示す相関値分散度を算出する相関値分散度算出手段と、前記相関値分散度から前記閾値を算出する閾値算出手段と、を具備する構成を採る。
【００２０】
この構成によれば、遅延プロファイルにおける相関値の分散度を基に閾値を変動させるため、遅延プロファイルにおける相関値の分散度に起因する誤検出を減少させることができる。
【００２１】
請求項４に係るランダムアクセス信号受信装置は、プリアンブル受信信号の遅延プロファイルに基づいて閾値を用いて特定した候補パスをＲＡＫＥ合成し、ＲＡＫＥ合成後の前記候補パスの相関値と他の閾値を用いてプリアンブル信号を受信したか否かを判定するランダムアクセス信号受信装置であって、前記遅延プロファイルから相関値の平均値に対する分散度を示す相関値分散度を算出する相関値分散度算出手段と、前記相関値分散度から前記ＲＡＫＥ合成の候補パスを特定するための前記閾値を算出する閾値算出手段と、
を具備する構成を採る。
【００２２】
この構成によれば、遅延プロファイルにおける相関値の分散度を基にＲＡＫＥ合成の対象とすべき位相を特定するための閾値を変動させるため、遅延プロファイルにおける相関値の分散度に起因する誤検出を減少させることができる。
【００２３】
請求項５に係るランダムアクセス信号受信装置は、プリアンブル受信信号の合成遅延プロファイルに基づいてＲＡＫＥ合成し、ＲＡＫＥ合成後の候補パスの相関値と閾値を用いてプリアンブル信号を受信したか否かを判定するランダムアクセス信号受信装置であって、複数の受信部におけるプリアンブル受信信号を基に生成する複数の遅延プロファイルを合成して前記合成遅延プロファイルを生成する遅延プロファイル合成手段と、前記合成遅延プロファイルから相関値の平均値に対する分散度を示す相関値分散度を算出する相関値分散度算出手段と、前記相関値分散度から前記閾値を算出する閾値算出手段と、を具備する構成を採る。
【００２４】
この構成によれば、空間ダイバーシチ受信時に遅延プロファイルを合成する際のノイズ平均化効果の度合いによらず、合成遅延プロファイルにおける相関値の分散度を基に閾値を変動させるため、合成遅延プロファイルにおける相関値の分散度に起因する誤検出を減少させることができる。
【００２５】
請求項６に係るランダムアクセス信号受信装置は、プリアンブル受信信号の合成遅延プロファイルに基づいて閾値を用いて特定した候補パスをＲＡＫＥ合成し、ＲＡＫＥ合成後の前記候補パスの相関値と他の閾値を用いてプリアンブル信号を受信したか否かを判定するランダムアクセス信号受信装置であって、複数の受信部におけるプリアンブル受信信号を基に生成する複数の遅延プロファイルを合成して前記合成遅延プロファイルを生成する遅延プロファイル合成手段と、前記合成遅延プロファイルから相関値の平均値に対する分散度を示す相関値分散度を算出する相関値分散度算出手段と、前記相関値分散度から前記ＲＡＫＥ合成する候補パスを特定するための前記閾値を算出する閾値算出手段と、
を具備する構成を採る。
【００２６】
この構成によれば、空間ダイバーシチ受信時に遅延プロファイルを合成する際のノイズ平均化効果の度合いによらず、合成遅延プロファイルにおける相関値の分散度を基にＲＡＫＥ合成の対象とすべき位相を特定するための閾値を変動させるため、合成遅延プロファイルにおける相関値の分散度に起因する誤検出を減少させることができる。
【００２７】
請求項７に係るランダムアクセス信号受信装置は、請求項４又は請求項６に係る発明のランダムアクセス信号受信装置において、前記閾値算出手段は、前記ＲＡＫＥ合成する候補パスを特定するための前記閾値及びプリアンブル信号を受信したか否かを判定するための前記他の閾値を算出する構成を採る。
【００２８】
この構成によれば、請求項４又は請求項６に係る発明の効果に加えて、空間ダイバーシチ受信時に遅延プロファイルを合成する際のノイズ平均化効果の度合いによらず、合成遅延プロファイルにおける相関値の分散度を基にＲＡＫＥ合成の対象とすべき位相を特定するための閾値、及び、プリアンブル信号の受信の有無を判定するための閾値を変動させるため、合成遅延プロファイルにおける相関値の分散度に起因する誤検出をさらに減少させることができる。
【００２９】
請求項８に係るランダムアクセス信号受信方法は、プリアンブル受信信号の遅延プロファイルにおける候補パスの相関値と閾値を用いてプリアンブル信号を受信したか否かを判定するランダムアクセス信号受信装置におけるランダムアクセス信号受信方法であって、前記遅延プロファイルから相関値の平均値に対する分散度を示す相関値分散度を算出するステップと、前記相関値分散度から前記閾値を算出するステップと、を具備するようにした。
【００３０】
この方法によれば、遅延プロファイルにおける相関値の分散を基に閾値を変動させるため、遅延プロファイルにおける相関値の分散度に起因する誤検出を減少させることができる。
【００３１】
【発明の実施の形態】
本発明の骨子は、遅延プロファイルから相関値の平均値に対する分散度を基にプリアンブル信号の有無の判定に使用する閾値を算出することである。
【００３２】
以下、本発明の実施の形態について、図面を参照して詳細に説明する。
【００３３】
（実施の形態１）
本発明の実施の形態１に係るランダムアクセス信号受信装置の構成を示すブロック図を図１に示す。
【００３４】
ランダムアクセス信号受信装置１００は、相関値算出部１０１、コードパターン発生部１０２、遅延プロファイル生成部１０３、相関値分散度算出部１０４、閾値算出部１０５及びプリアンブル検出判定部１０６を備える。
【００３５】
コードパターン発生部１０２は、送信機側で伝送信号の拡散に用いられた拡散コードを発生させて相関値算出部１０１に与える。相関値算出部１０１は、受信信号ＲＥ１を受け取りコードパターン発生部１０２から受け取る拡散コードを掛け合わせて相関値を算出し遅延プロファイル生成部１０３に与える。遅延プロファイル生成部１０３は、相関値算出部１０１から受け取る相関値をもとに遅延プロファイルを生成して、遅延プロファイルにおける相関値をプリアンブル検出判定部１０６に与える。
【００３６】
相関値分散度算出部１０４は、遅延プロファイル生成部１０３が生成した遅延プロファイルにおける相関値の平均値を算出し、その遅延プロファイルにおける相関値の平均値に対する分散度を示す相関値分散度を算出して閾値算出部１０５に与える。ここで、相関値分散度は、標準偏差を利用することができる。閾値算出部１０５は、相関値分散度算出部１０４から受け取る相関値分散度を基にプリアンブル信号の受信の有無を判定する閾値を算出して、プリアンブル検出判定部１０６に与える。ここで、閾値算出方法としては、遅延プロファイルにおける相関値の平均値に予め設定する定数と相関値分散度とを乗算する方法などが考えられる。
【００３７】
プリアンブル検出判定部１０６は、遅延プロファイル生成部１０３から受け取る候補パスの相関値が閾値算出部１０５から受け取る閾値以上である時は、プリアンブル信号を受信したと判定する。一方、遅延プロファイル生成部１０３から受け取る候補パスの相関値が閾値算出部１０５から受け取る閾値未満である時は、プリアンブル信号を受信していないと判定する。プリアンブル検出判定部１０６は、以上の判定結果を出力する。
【００３８】
以上の実施の形態１においては、図２及び図３に示すように、プリアンブル検出判定のための閾値ＴＨ２０２及び閾値ＴＨ３０２を相関値分散度に応じて変動させることにより、誤検出が生じていないことがわかる。ここで、図２は相関値分散度が小さい場合の遅延プロファイルを示している。図３は相関値分散度が大きい場合の遅延プロファイルを示している。また、図２及び図３は、すべてプリアンブル信号を受信しておらずノイズのみを受信している状態の遅延プロファイルであるとする。
【００３９】
本発明の実施の形態１によれば、遅延プロファイルにおける相関値の分散度を基に閾値を変動させるため、遅延プロファイルにおける相関値の分散度に起因する誤検出を減少させることができる。
【００４０】
（実施の形態２）
次に、本発明の実施の形態２について、図面を参照して説明する。本発明の実施の形態２においては、本発明の実施の形態１に係るランダムアクセス信号受信装置と同じ構成要素については、同じ参照符号が付されて説明が省略される。
【００４１】
本発明の実施の形態２に係るランダムアクセス信号受信装置の構成を示すブロック図を図４に示す。
【００４２】
ランダムアクセス信号受信装置４００は、相関値算出部１０１、コードパターン発生部１０２、遅延プロファイル生成部１０３、相関値分散度算出部１０４、閾値算出部１０５、プリアンブル検出判定部１０６、相関値算出部４０１、遅延プロファイル生成部４０２及び遅延プロファイル合成部４０３を備えている。
【００４３】
コードパターン発生部１０２は、送信機側で伝送信号の拡散に用いられた拡散コードを発生させて相関値算出部１０１及び相関値算出部４０１に与える。相関値算出部４０１は、相関値算出部１０１と接続されているアンテナとは別のアンテナから受信した受信信号ＲＥ２を受け取りコードパターン発生部１０２から受け取る拡散コードを掛け合わせて、相関値を算出し遅延プロファイル生成部４０２に与える。遅延プロファイル生成部４０２は、相関値算出部４０１から受け取る相関値をもとに遅延プロファイルを生成する。
【００４４】
遅延プロファイル合成部４０３は、遅延プロファイル生成部１０３及び遅延プロファイル生成部４０２から各々が生成した遅延プロファイルを受け取り、各々を加算して合成遅延プロファイルを生成する。相関値分散度算出部１０４は、遅延プロファイル合成部４０３が生成した合成遅延プロファイルにおける相関値の平均値を算出し、その合成遅延プロファイルにおける相関値の平均値に対する分散度を示す相関値分散度を算出して閾値算出部１０５に与える。
【００４５】
閾値算出部１０５は、相関値分散度算出部１０４から受け取る相関値分散度を基にプリアンブル信号の受信の有無を判定する閾値を算出して、プリアンブル検出判定部１０６に与える。プリアンブル検出判定部１０６は、遅延プロファイル合成部４０３から受け取る候補パスの相関値が閾値算出部１０５から受け取る閾値以上である時は、プリアンブル信号を受信したと判定する。一方、遅延プロファイル合成部４０３から受け取る候補パスの相関値が閾値算出部１０５から受け取る閾値未満である時は、プリアンブル信号を受信していないと判定する。プリアンブル検出判定部１０６は、以上の判定結果を出力する。
【００４６】
本発明の実施の形態２によれば、空間ダイバーシチ受信時に遅延プロファイルを合成する際のノイズ平均化効果の度合いによらず、合成遅延プロファイルにおける相関値の分散度を基に閾値を変動させるため、相関値の分散度に起因する誤検出をさらに減少させることができる。
【００４７】
（実施の形態３）
次に、本発明の実施の形態３について、図面を参照して説明する。本発明の実施の形態３においては、本発明の実施の形態１に係るランダムアクセス信号受信装置と同じ構成要素については、同じ参照符号が付されて説明が省略される。
【００４８】
本発明の実施の形態３に係るランダムアクセス信号受信装置の構成を示すブロック図を図５に示す。
【００４９】
ランダムアクセス信号受信装置５００は、相関値算出部１０１、コードパターン発生部１０２、遅延プロファイル生成部１０３、相関値分散度算出部１０４、閾値算出部１０５、ＲＡＫＥ合成部５０１及びプリアンブル検出判定部５０２を備える。
【００５０】
ＲＡＫＥ合成部５０１は、遅延プロファイル生成部１０３が生成した遅延プロファイルを基に伝送路の遅延分散により分散した信号を一つに集めるＲＡＫＥ合成を行い、ＲＡＫＥ合成後の信号の相関値をプリアンブル検出判定部５０２に与える。
【００５１】
プリアンブル検出判定部５０２は、ＲＡＫＥ合成部５０１から受け取るＲＡＫＥ合成後の相関値が閾値算出部１０５から受け取る閾値以上である時は、プリアンブル信号を受信したと判定する。一方、ＲＡＫＥ合成部５０１から受け取るＲＡＫＥ合成後の相関値が閾値算出部１０５から受け取る閾値未満である時は、プリアンブル信号を受信していないと判定する。プリアンブル検出判定部５０２は、以上の判定結果を出力する。
【００５２】
次に、図６の（ａ）と（ｂ）及び図７の（ａ）と（ｂ）を参照して、本発明の実施の形態３に係るランダムアクセス信号受信装置５００のプリアンブル信号の受信の検出の有無の判断における原理を説明する。
【００５３】
図６（ａ）は、相関値分散度が小さい場合の遅延プロファイルを示している。図７（ａ）は、相関値分散度が大きい場合の遅延プロファイルを示している。図６（ａ）に記載の閾値ＴＨ６０２及び図７（ａ）に記載の閾値ＴＨ７０２は、ＲＡＫＥ合成の対象とすべき位相を特定するためのものである。図６（ｂ）は、ＲＡＫＥ合成後の相関値とプリアンブル信号の検出判定に用いる閾値ＴＨ６０３との関係を遅延プロファイルの上に表したものである。図７（ｂ）は、ＲＡＫＥ合成後の信号の相関値とプリアンブル信号の検出判定に用いる閾値ＴＨ７０３との関係を遅延プロファイルの上に表したものである。図６（ｂ）に記載の閾値ＴＨ６０３及び図７（ｂ）に記載の閾値ＴＨ７０３は、プリアンブル検出判定のためのものである。ここで、図６及び図７は、すべてプリアンブル信号を受信しておらずノイズのみを受信している状態の遅延プロファイルであるとする。
【００５４】
図６（ａ）においては、一つの位相における相関値がＲＡＫＥ合成の対象を判定する閾値ＴＨ６０２を越えている。この場合、ＲＡＫＥ合成の対象が一つのため、ＲＡＫＥ合成しても相関値は変わらない。そうすると、ＲＡＫＥ合成後の相関値は、図６（ｂ）に示すようにプリアンブル検出判定のための閾値ＴＨ６０３を越えないためプリアンブル信号を受信していないという正しい判定となる。
【００５５】
図７（ａ）においては、二つの位相の相関値がＲＡＫＥ合成の対象を判定する閾値ＴＨ７０２を越えている。図７（ｂ）に示すとおり、相関値分散度が大きい時は、プリアンブル信号検出判定のための閾値ＴＨ７０３も大きくなる。本発明の実施の形態３に係るランダムアクセス信号受信装置５００においては、相関値分散度を反映させてプリアンブル信号検出判定のための閾値を算出するため、相関値分散度が大きい時はプリアンブル信号検出判定のための閾値ＴＨ７０３も大きくなるので、図７に示すように誤検出は解消され正しい判定となる。
【００５６】
本発明の実施の形態３によれば、遅延プロファイルにおける相関値の分散度を基に閾値を変動させるため、遅延プロファイルにおける相関値の分散度に起因する誤検出を減少させることができる。
【００５７】
（実施の形態４）
本発明の実施の形態４について、図面を参照して説明する。本発明の実施の形態４においては、本発明の実施の形態１に係るランダムアクセス信号受信装置と同じ構成要素については、同じ参照符号が付されて説明が省略される。
【００５８】
本発明の実施の形態４に係るランダムアクセス信号受信装置の構成を示すブロック図を図８に示す。
【００５９】
本発明の実施の形態４に係るランダムアクセス信号受信装置８００は、相関値算出部１０１、コードパターン発生部１０２、遅延プロファイル生成部１０３、相関値分散度算出部１０４、ＲＡＫＥ合成部８０１、閾値算出部８０２及びプリアンブル検出判定部８０３を備える。
【００６０】
閾値算出部８０２は、相関値分散度算出部１０４から受け取る相関値分散度を基にＲＡＫＥ合成の対象とすべき位相を特定するための閾値を算出して、ＲＡＫＥ合成部８０１に与える。ＲＡＫＥ合成部８０１は、閾値算出部８０２から受け取るＲＡＫＥ合成の対象とすべき位相を特定するための閾値を用いてＲＡＫＥ合成を行い、ＲＡＫＥ合成後の相関値をプリアンブル検出判定部８０３に与える。プリアンブル検出判定部８０３は、ＲＡＫＥ合成部８０１から受け取るＲＡＫＥ合成後の相関値とプリアンブル検出判定部８０３が予め保持しているプリアンブル信号の受信の有無を判定するための閾値とを比較する。
【００６１】
本発明の実施の形態４によれば、遅延プロファイルにおける相関値の分散度を基にＲＡＫＥ合成の対象とすべき位相を特定するための閾値を変動させるため、遅延プロファイルにおける相関値の分散度に起因する誤検出を減少させることができる。
【００６２】
なお、本発明の実施の形態４に係る発明のランダムアクセス信号受信装置において、閾値算出部８０２が遅延プロファイルにおける相関値の分散度を基にＲＡＫＥ合成の対象とすべき位相を特定するための閾値のみならず、プリアンブル信号の受信の有無を判定するための閾値をも算出して、プリアンブル検出判定部８０３に渡し、かつ、プリアンブル検出判定部８０３は、ＲＡＫＥ合成部８０１から受け取るＲＡＫＥ合成後の相関値と閾値算出部８０２から受け取るプリアンブル信号の受信の有無を判定するための閾値とを比較する構成としてもよい。
【００６３】
この構成によれば、遅延プロファイルにおける相関値の分散度を基にＲＡＫＥ合成の対象とすべき位相を特定するための閾値のみならず、プリアンブル信号の受信の有無を判定するための閾値をも変動させるため、遅延プロファイルにおける相関値の分散度に起因する誤検出をさらに減少させることができる。
【００６４】
（実施の形態５）
次に、本発明の実施の形態５について、図面を参照して説明する。本発明の実施の形態５においては、本発明の実施の形態１又は本発明の実施の形態２に係るランダムアクセス信号受信装置と同じ構成要素については、同じ参照符号が付されて説明が省略される。
【００６５】
本発明の実施の形態５に係るランダムアクセス信号受信装置の構成を示すブロック図を図９に示す。
【００６６】
ランダムアクセス信号受信装置９００は、相関値算出部１０１、コードパターン発生部１０２、遅延プロファイル生成部１０３、相関値分散度算出部１０４、閾値算出部１０５、相関値算出部４０１、遅延プロファイル生成部４０２、遅延プロファイル合成部９０１、ＲＡＫＥ合成部９０２及びプリアンブル検出判定部９０３を備えている。
【００６７】
遅延プロファイル生成部４０２は、相関値算出部４０１から受け取る相関値をもとに遅延プロファイルを生成して、遅延プロファイル合成部９０１に与える。遅延プロファイル合成部９０１は、遅延プロファイル生成部１０３及び遅延プロファイル生成部４０２が生成した遅延プロファイルを受け取り加算して合成遅延プロファイルを生成する。
【００６８】
ＲＡＫＥ合成部９０２は、遅延プロファイル合成部９０１が生成した合成遅延プロファイルを基に伝送路の遅延分散により分散した信号を一つに集めるＲＡＫＥ合成を行い、ＲＡＫＥ合成後の相関値をプリアンブル検出判定部９０３に与える。相関値分散度算出部１０４は、遅延プロファイル合成部９０１が生成した合成遅延プロファイルにおける相関値の平均値を算出し、その合成遅延プロファイルにおける相関値の平均値に対する分散度を示す相関値分散度を算出して閾値算出部１０５に与える。
【００６９】
プリアンブル検出判定部９０３は、ＲＡＫＥ合成部９０２から受け取るＲＡＫＥ合成後の相関値が閾値算出部１０５から受け取る閾値以上である時は、プリアンブル信号を受信したと判定する。一方、ＲＡＫＥ合成部９０２から受け取るＲＡＫＥ合成後の相関値が閾値算出部１０５から受け取る閾値未満である時は、プリアンブル信号を受信していないと判定する。プリアンブル検出判定部９０３は、以上の判定結果を出力する。
【００７０】
本発明の実施の形態５によれば、空間ダイバーシチ受信時に遅延プロファイルを合成する際のノイズ平均化効果の度合いによらず、合成遅延プロファイルにおける相関値の分散度を基に閾値を変動させるため、合成遅延プロファイルにおける相関値の分散度に起因する誤検出をさらに減少させることができる。
【００７１】
（実施の形態６）
本発明の実施の形態６について、図面を参照して説明する。本発明の実施の形態６においては、本発明の実施の形態１、本発明の実施の形態２及び本発明の実施の形態５に係るランダムアクセス信号受信装置と同じ構成要素については、同じ参照符号が付されて説明が省略される。
【００７２】
本発明の実施の形態６に係るランダムアクセス信号受信装置の構成を示すブロック図を図１０に示す。
【００７３】
ランダムアクセス信号受信装置１０００は、相関値算出部１０１、コードパターン発生部１０２、遅延プロファイル生成部１０３、相関値分散度算出部１０４、相関値算出部４０１、遅延プロファイル生成部４０２、遅延プロファイル合成部９０１、ＲＡＫＥ合成部１００１、閾値算出部１００２及びプリアンブル検出判定部１００３を備えている。
【００７４】
閾値算出部１００２は、相関値分散度算出部１０４から受け取る相関値分散度を基にＲＡＫＥ合成の対象とすべき位相を特定するための閾値を算出して、ＲＡＫＥ合成部１００１に与える。ＲＡＫＥ合成部１００１は、閾値算出部１００２から受け取るＲＡＫＥ合成の対象とすべき位相を特定するための閾値を用いてＲＡＫＥ合成を行い、ＲＡＫＥ合成後の相関値をプリアンブル検出判定部１００３に与える。プリアンブル検出判定部１００３は、ＲＡＫＥ合成部１００１から受け取るＲＡＫＥ合成後の相関値とプリアンブル検出判定部１００３が予め保持しているプリアンブル信号の受信の有無を判定するための閾値とを比較する。
【００７５】
実施の形態６によれば、空間ダイバーシチ受信時に遅延プロファイルを合成する際のノイズ平均化効果の度合いによらず、合成遅延プロファイルにおける相関値の分散度を基にＲＡＫＥ合成の対象とすべき位相を特定するための閾値を変動させるため、合成遅延プロファイルにおける相関値の分散度に起因する誤検出を減少させることができる。
【００７６】
本発明の実施の形態６に係る発明のランダムアクセス信号受信装置において、閾値算出部１００２が遅延プロファイルにおける相関値の分散度を基にＲＡＫＥ合成の対象とすべき位相を特定するための閾値のみならず、プリアンブル信号の受信の有無を判定するための閾値をも算出して、プリアンブル検出判定部１００３に渡し、かつ、プリアンブル検出判定部１００３は、ＲＡＫＥ合成部１００１から受け取るＲＡＫＥ合成後の相関値と閾値算出部１００２から受け取るプリアンブル信号の受信の有無を判定するための閾値とを比較する構成としてもよい。
【００７７】
この構成によれば、空間ダイバーシチ受信時に遅延プロファイルを合成する際のノイズ平均化効果の度合いによらず、合成遅延プロファイルにおける相関値の分散度を基にＲＡＫＥ合成の対象とすべき位相を特定するための閾値のみならず、プリアンブル信号の受信の有無を判定するための閾値をも変動させるため、合成遅延プロファイルにおける相関値の分散度に起因する誤検出をさらに減少させることができる。
【００７８】
【発明の効果】
以上説明したように、本発明によれば、遅延プロファイルにおける相関値の平均値に対する遅延プロファイルにおける相関値の分散度に起因する誤検出を減少させることができる。
【図面の簡単な説明】
【図１】本発明の実施の形態１に係るランダムアクセス信号受信装置の構成を示すブロック図
【図２】本発明の実施の形態１に係るランダムアクセス信号受信装置における遅延プロファイルを示す図
【図３】本発明の実施の形態１に係るランダムアクセス信号受信装置における他の遅延プロファイルを示す図
【図４】本発明の実施の形態２に係るランダムアクセス信号受信装置の構成を示すブロック図
【図５】本発明の実施の形態３に係るランダムアクセス信号受信装置の構成を示すブロック図
【図６】（ａ）  本発明の実施の形態３に係るランダムアクセス信号受信装置における遅延プロファイルを示す図
（ｂ）  本発明の実施の形態３に係るランダムアクセス信号受信装置における他の遅延プロファイルを示す図
【図７】（ａ）  本発明の実施の形態３に係るランダムアクセス信号受信装置における遅延プロファイルを示す図
（ｂ）  本発明の実施の形態３に係るランダムアクセス信号受信装置における他の遅延プロファイル示す図
【図８】本発明の実施の形態４に係るランダムアクセス信号受信装置の構成を示すブロック図
【図９】本発明の実施の形態５に係るランダムアクセス信号受信装置の構成を示すブロック図
【図１０】本発明の実施の形態６に係るランダムアクセス信号受信装置の構成を示すブロック図
【図１１】従来のランダムアクセス信号受信装置における遅延プロファイルを示す図
【図１２】従来のランダムアクセス信号受信装置における他の遅延プロファイルを示す図
【図１３】（ａ）  従来のランダムアクセス信号受信装置における他の遅延プロファイルを示す図
（ｂ）  従来のランダムアクセス信号受信装置における他の遅延プロファイルを示す図
【図１４】（ａ）  従来のランダムアクセス信号受信装置における他の遅延プロファイルを示す図
（ｂ）  従来のランダムアクセス信号受信装置における他の遅延プロファイルを示す図
【符号の説明】
１０１、４０１  相関値算出部
１０２  コードパターン発生部
１０３、４０２  遅延プロファイル生成部
１０４  相関値分散度算出部
１０５、８０２、１００２  閾値算出部
１０６、５０２、８０３、９０３、１００３  プリアンブル検出判定部
Ｎ２０１、Ｎ３０１、Ｎ６０１、Ｎ７０１、Ｎ１１０１、Ｎ１２０１、Ｎ１３０１、Ｎ１４０１  相関値平均値
ＴＨ２０２、ＴＨ３０２、ＴＨ６０３、ＴＨ７０３、ＴＨ１１０２、ＴＨ１２０２、ＴＨ１３０３、ＴＨ１４０３  プリアンブル検出判定閾値
４０３、９０１  遅延プロファイル合成部
５０１、８０１、９０２、１００１  ＲＡＫＥ合成部
ＴＨ６０２、ＴＨ７０２、ＴＨ１３０２、ＴＨ１４０２  ＲＡＫＥ合成対象閾値
【図１】
2004356725.tif 000003
【図２】
2004356725.tif 000004
【図３】
2004356725.tif 000005
【図４】
2004356725.tif 000006
【図５】
2004356725.tif 000007
【図６】
2004356725.tif 000008
【図７】
2004356725.tif 000009
【図８】
2004356725.tif 000010
【図９】
2004356725.tif 000011
【図１０】
2004356725.tif 000012
【図１１】
2004356725.tif 000013
【図１２】
2004356725.tif 000014
【図１３】
2004356725.tif 000015
【図１４】
2004356725.tif 000016